【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
画像をベクトルデータに変換する画像処理装置であって、
画像を領域分割する第１の領域分割手段と、
前記第１の領域分割手段で分割された領域から、グラフィックス領域を抽出する抽出手段と、
前記抽出手段で抽出されたグラフィックス領域がクリップアート画像であるか否かを判定する判定手段と、
前記判定手段でクリップアート画像と判定された領域をさらに領域分割する第２の領域分割手段と、
前記第２の領域分割手段で領域分割されたクリップアート画像をベクトルデータに変換する変換手段と
を備えることを特徴とする画像処理装置。
【請求項２】
前記判定手段が、
前記抽出手段で抽出されたグラフィックス領域内の画素のクラスタリング処理を行うクラスタリング手段と、
前記クラスタリング手段によるクラスタリング処理結果から、クラスタ数を計数するクラスタ数計数手段と、
前記クラスタ数計数手段で計数されたクラスタ数が閾値以下の場合に、前記抽出されたグラフィックス領域をクリップアート画像と判定するクリップアート判定手段と
を備えることを特徴とする請求項１に記載の画像処理装置。
【請求項３】
前記判定手段が、
前記抽出手段で抽出されたグラフィックス領域内の画素のクラスタリング処理を行うクラスタリング手段と、
前記クラスタリング手段によるクラスタリング処理結果から、各クラスタ内の分散値を計算するクラスタ分散計算手段と、
前記クラスタ分散計算手段で計算された各クラスタ内の分散値がすべて閾値以下の場合に、前記グラフィック領域をクリップアート画像と判定するクリップアート判定手段と
を備えることを特徴とする請求項１に記載の画像処理装置。
【請求項４】
前記判定手段が、
前記抽出手段で抽出されたグラフィックス領域内の画素のクラスタリング処理を行うクラスタリング手段と、
前記クラスタリング手段によるクラスタリング処理結果から、クラスタ数を計数するクラスタ数計数手段と、
前記クラスタ数計数手段で計数されたクラスタ数が閾値以下であるか否かを判定するクラスタ数判定手段と
前記クラスタ数判定手段で前記クラスタ数が閾値以下と判定された場合に、各クラスタ内の分散値を計算するクラスタ分散計算手段と、
前記クラスタ分散計算手段で計算された各クラスタ内の分散値がすべて閾値以下の場合に、前記グラフィック領域をクリップアート画像と判定するクリップアート判定手段と
を備えることを特徴とする請求項１に記載の画像処理装置。
【請求項５】
前記クラスタリング手段は、前記グラフィックス領域内の各画素の色特徴を用いて、各クラスタ間の類似度の閾値を低く設定したクラスタリング処理を行うことを特徴とする請求項２から４までのいずれか１項に記載の画像処理装置。
【請求項６】
前記第２の領域分割手段が、
前記判定手段でクリップアート画像と判定された前記領域をクラスタリング処理する手段と、
該クラスタリング処理の結果からクラスタ数を計数する手段と、
目標クラスタ数を入力する手段と、
前記計数したクラスタ数が前記目標クラスタ数以下になるまでクラスタ間の統合処理を行う手段と、
統合処理が終了した後の各クラスタについて、クラスタ内の画素数が閾値以下のクラスタをノイズ領域として判定する手段と、
ノイズ領域と判定されたクラスタ内の各画素を近傍に位置するクラスタに所属させる手段と
を備えることを特徴とする請求項１から５までのいずれか１項に記載の画像処理装置。
【請求項７】
前記第２の領域分割手段が備えるクラスタリング処理する手段は、前記領域内の各画素の色特徴を用いて、各クラスタ間の類似度の閾値を高く設定したクラスタリング処理を行うことを特徴とする請求項６に記載の画像処理装置。
【請求項８】
画像をベクトルデータに変換する画像処理方法であって、
第１の領域分割手段が、前記画像を領域分割する第１の領域分割工程と、
抽出手段が、前記第１の領域分割工程で分割された領域からグラフィックス領域を抽出する抽出工程と、
判定手段が、前記抽出工程で抽出されたグラフィックス領域がクリップアート画像であるか否かを判定する判定工程と、
第２の領域分割手段が、前記判定工程でクリップアート画像と判定された領域をさらに領域分割する第２の領域分割工程と、
変換手段が、前記第２の領域分割工程で領域分割されたクリップアート画像をベクトルデータに変換する変換工程と
を有することを特徴とする画像処理方法。
【請求項９】
コンピュータを、
画像を領域分割する第１の領域分割手段、
前記第１の領域分割手段で分割された領域からグラフィックス領域を抽出する抽出手段、
前記抽出手段で抽出されたグラフィックス領域がクリップアート画像であるか否かを判定する判定手段、
前記判定手段でクリップアート画像と判定された領域をさらに領域分割する第２の領域分割手段、
前記第２の領域分割手段で領域分割されたクリップアート画像をベクトルデータに変換する変換手段、
として機能させるためのコンピュータプログラム。
【手続補正２】
【補正対象書類名】明細書
【補正対象項目名】０００６
【補正方法】変更
【補正の内容】
【０００６】
上記目的を達成するため、本発明に係る装置は、
画像をベクトルデータに変換する画像処理装置であって、
画像を領域分割する第１の領域分割手段と、
前記第１の領域分割手段で分割された領域から、グラフィックス領域を抽出する抽出手段と、
前記抽出手段で抽出されたグラフィックス領域がクリップアート画像であるか否かを判定する判定手段と、
前記判定手段でクリップアート画像と判定された領域をさらに領域分割する第２の領域分割手段と、
前記第２の領域分割手段で領域分割されたクリップアート画像をベクトルデータに変換する変換手段と
を備えることを特徴とする。
【手続補正３】
【補正対象書類名】明細書
【補正対象項目名】０００７
【補正方法】変更
【補正の内容】
【０００７】
上記目的を達成するため、本発明に係る方法は、
画像をベクトルデータに変換する画像処理方法であって、
第１の領域分割手段が、前記画像を領域分割する第１の領域分割工程と、
抽出手段が、前記第１の領域分割工程で分割された領域からグラフィックス領域を抽出する抽出工程と、
判定手段が、前記抽出工程で抽出されたグラフィックス領域がクリップアート画像であるか否かを判定する判定工程と、
第２の領域分割手段が、前記判定工程でクリップアート画像と判定された領域をさらに領域分割する第２の領域分割工程と、
変換手段が、前記第２の領域分割工程で領域分割されたクリップアート画像をベクトルデータに変換する変換工程と
を有することを特徴とする。
【手続補正４】
【補正対象書類名】明細書
【補正対象項目名】０００８
【補正方法】変更
【補正の内容】
【０００８】
上記目的を達成するため、本発明に係るプログラムは、
コンピュータを、
画像を領域分割する第１の領域分割手段、
前記第１の領域分割手段で分割された領域からグラフィックス領域を抽出する抽出手段、
前記抽出手段で抽出されたグラフィックス領域がクリップアート画像であるか否かを判定する判定手段、
前記判定手段でクリップアート画像と判定された領域をさらに領域分割する第２の領域分割手段、
前記第２の領域分割手段で領域分割されたクリップアート画像をベクトルデータに変換する変換手段、
として機能させる。